(57)【要約】【課題】ネットワークに接続された別の画像処理装置がＩＰアドレスの再リース処理を行うことで、スリープモードに移行した画像処理装置を復帰させずシステム全体の消費電力を削減した画像形成システムを提供すること。【解決手段】画像処理装置１は、スリープモード移行要因を受けて、画像処理装置２をスリープモードへ移行中、画像処理装置１の代わりにＩＰアドレスの再リース処理をしてもらうことを要求し、その後、画像処理措置１はスリープモードに遷移するとともに、画像処理装置２に、自身がスリープモードに遷移したことと、自身のＩＰアドレスと、ＩＰアドレスのリース期間、そして、代理にてＩＰアドレスの再リースを行うことを要求するパケットを通知する。【選択図】図３
2010016769.tif 000002
【特許請求の範囲】
【請求項１】
ＤＨＣＰのプロトコルに従い、ＩＰアドレスを取得するネットワーク制御手段と省電力機能をもつ複数の画像処理装置とがネットワークに接続された画像形成システムであって、
特定の画像処理装置が省電力機能であるスリープモードに遷移する際、他のネットワークに接続された画像処理装置にＩＰアドレスの再リース処理の代理で行うことを要求する要求手段を備え、
前記要求手段によりＩＰアドレスの再リース処理の代理を要求されたネットワークに接続された他の画像処理装置が、スリープモードに遷移している画像処理装置の代わりにＩＰアドレスの再リース処理をすることを特徴とする画像形成システム。
【請求項２】
前記要求手段により他の画像処理装置にＩＰアドレスの再リース処理を要求した画像処理装置は、スリープモードに遷移している間、ネットワークに接続された他の画像処理装置、或いはネットワークに接続されたサーバとのネゴシエーションに対して、無視することを特徴とする請求項１記載の画像形成システム。
【請求項３】
前記要求手段により他の画像処理装置にＩＰアドレスの再リース処理を要求した画像処理装置は、スリープモードに遷移している間、ネットワークを介して特定の動作の要求を受けた場合のみにスリープモードから復帰することを特徴とする請求項１または請求項２記載の画像形成システム。
【請求項４】
前記要求手段により他の画像処理装置にＩＰアドレスの再リース処理を要求した画像処理装置は、要求を受けた画像処理装置が問題なくＩＰアドレスの再リース処理できることを応答したことを確認して、スリープモードに移行することを特徴とする請求項１、請求項２または請求項３記載の画像形成システム。
【請求項５】
前記要求手段により他の画像処理装置にＩＰアドレスの再リース処理を要求した画像処理装置は、要求を受けた画像処理装置が代理で再リース処理を行えない場合は、別の候補の画像処理装置を選択して代理要求することを特徴とする請求項１から請求項４のいずれか１項に記載の画像形成システム。
【請求項６】
前記要求手段により他の画像処理装置にＩＰアドレスの再リース処理を要求した画像処理装置は、スリープモードから復帰した時に、代理でＩＰアドレスの再リース処理を行う画像処理装置の代理動作要求を解除する指示を出す解除指示手段を備えたことを特徴とする請求項１から請求項５のいずれか１項に記載の画像形成システム。
【請求項７】
前記要求手段により、代理でＩＰアドレスの再リース処理の要求を受けた画像処理装置は、代理動作要求を受けている間、スリープモードへの移行を許可されないことを特徴とする請求項１から請求項６のいずれか１項に記載の画像形成システム。
【請求項８】
前記要求手段により、代理でＩＰアドレスの再リース処理の要求を受けた画像処理装置は、省電力機能をもつ画像処理装置であることを特徴とする請求項１から請求項６のいずれか１項に記載の画像形成システム。
【請求項９】
前記要求手段により、代理でＩＰアドレスの再リース処理の要求をした際、ネットワーク内に省電力機能をもつ画像処理装置が存在しない場合、代理でＩＰアドレスの再リース処理を行う画像処理装置は、待機時の消費電力が小さい画像処理装置であることを特徴とする請求項１から請求項６のいずれか１項に記載の画像形成システム。
【請求項１０】
前記要求手段により他の画像処理装置にＩＰアドレスの再リース処理を要求する画像処理装置は、ネットワーク内にある複数の画像処理装置に要求を出し、要求を受けた複数の画像処理装置の中から、応答のあった画像処理装置に代理動作を要求することを特徴とする請求項１から請求項６のいずれか１項に記載の画像形成システム。
【請求項１１】
ＤＨＣＰのプロトコルに従い、ＩＰアドレスを取得するネットワーク制御手段と省電力機能をもつ複数の画像処理装置とがネットワークに接続された画像形成システムにおいて、
特定の画像処理装置が省電力機能であるスリープモードに遷移する際、他のネットワークに接続された画像処理装置にＩＰアドレスの再リース処理の代理で行うことを要求する第１のステップと、
第１のステップで代理で行うことを要求された他の画像処理装置が要求を受け入れる第２のステップと、
第２のステップで要求を受け入れた他の画像処理装置が、スリープモードに遷移している画像処理装置の代わりにＩＰアドレスの再リース処理をする第３のステップとからなることを特徴とする画像形成方法。
【発明の詳細な説明】
【技術分野】
【０００１】
本発明は、複数の画像処理装置が接続されたローカルエリアネットワーク（ＬＡＮ）の制御方法に関する。
【背景技術】
【０００２】
近年、複数の画像処理装置をＬＡＮ（ローカル・エリア・ネットワーク）で接続し、効率的に事務処理を行うことが広く普及している。このＬＡＮでは、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）というプロトコルがある。ＤＨＣＰとは、ネットワーク上にＤＨＣＰサーバを設置し、同様にネットワークにつながれたクライアントに対し、動的にＩＰアドレスを割り当てる方法である。
固定ＩＰを利用する場合、ネットワークの管理者はＩＰアドレスを管理し、このＩＰアドレスをクライアント毎に割り振り、クライアントはこのＩＰアドレスを設定する必要があった。
この固定ＩＰアドレスを割り振るネットワーク環境においては、管理者がネットワークを常に管理しなければならないため、管理者に負担が掛かるということや、クライアントのＩＰアドレスの設定ミスによって、ネットワークに多大な影響を与える可能性があった。しかし、ＤＨＣＰでは、ＤＨＣＰサーバがネットワークにつながれたクライアントの要求に応じてＩＰアドレスを自動的に割り振ることが可能になる。このため、ＤＨＣＰを用いることにより、今までのネットワークの構成が変更する度にＩＰアドレスを設定しなおすという煩雑な手間を省くことができるようになった。
【０００３】
このＤＨＣＰではＩＰアドレスの割り当てに関して、次の３つの方法がある。
「自動割り当て」では、ＤＨＣＰサーバはそのクライアントがずっと使用して良いアドレスを割り当てる。
「動的割り当て」では、ＤＨＣＰサーバはクライアントにアドレスを一定時間リースする。
「手動割り当て」では、ネットワーク管理者が割り当てられるＩＰアドレスを決めておき、ＤＨＣＰサーバは単にクライアントにＩＰアドレスを配布するためだけに使用される。
これらの方法のうち「動的割り当て」の仕組みは、クライアントがＩＰアドレスを使用したい旨を要求し、ＤＨＣＰサーバがＩＰアドレスを割り振ったら、そのＩＰアドレスを他のクライアントに割り当てをしないようにしている。
クライアントがそのネットワークから外れた場合、ＤＨＣＰサーバは、同じＩＰアドレスを他のクライアントへ割り当ててもよい。
この再利用の操作によりＩＰアドレスの枯渇を防ぐことになり、限られたＩＰアドレスを効率的に使用できるため、最も多く用いられている。
ところで、現在の画像処理装置は、世界的に省電力機能を有したものが求められる傾向にある。省電力機能とはユーザが装置を使用していない間、機能の一部を停止させて消費電力を低下させ、スリープモードと呼ばれる状態にする機能である。
また、ユーザの操作や、ユーザが使用する別のホストからのアクセスがあると通常状態に復帰する。
ＤＨＣＰ環境においてパワーマネジメント機能を使用するにあたっては、クライアントがＩＰアドレスを保持したままスリープモードに移行する際に生じる問題点として、スリープモード中に動的割り当てされたＩＰアドレスのリース期間が過ぎた後に通常状態へ移行した場合、再度ＩＰアドレスの割り当て要求を行うとスリープモードへ移行する以前のＩＰアドレスとは異なるＩＰアドレスが割り当てられる現象が存在していた。
この問題点を解決するため、従来技術では、スリープモード中にＩＰアドレスのリース期間延長要求を行う時間を経過したらスリープモードから復帰して、ＩＰアドレスのリース期間を延長する手続きを行う方法が提案されていた。
【発明の開示】
【発明が解決しようとする課題】
【０００４】
ところで、ＩＰアドレスのリース期間の度にスリープモードから復帰させてネットワークの接続の保持をする場合において、ＩＰアドレスの再リースの度に画像処理装置をスリープモードから復帰させなければならないため、十分な省電力効果が得られない問題点があった。
【特許文献１】特開２００７−０３６４５５公報
【０００５】
上記問題の解決方法として、特許文献１記載の発明では、ＩＰ取得のためのリジュームの頻度を減らすことによって省電力化を図ることができるネットワーク制御方法及び情報処理装置が提案されている。この発明では、ＩＰアドレス取得に際して、先ず、リース期間が無限のＩＰアドレスを要求し、それが拒否された場合、パワーマネジメントに有効な時間（例えば１日）を要求する。それが拒否された場合、リース期間が最も長い時間ＩＰアドレスを供給するサーバを選択して、その後、パワーマネジメント制御を行うようにしている。
しかし、従来の技術では、リジュームの頻度を減らすことにより省電力化を図るものであり、リジュームさせずにネットワークの保持を行うことはできていない。
このように、ＤＨＣＰのプロトコルにしたがい、ＩＰアドレスを取得する画像処理装置では、ＩＰアドレスのリース期間の度にスリープモードから復帰させてネットワークの接続の保持をする場合において、ＩＰアドレスの再リース処理を行う度に画像処理装置をスリープモードから復帰させなければならないため、十分な省電力効果を得ることが困難であった。
そこで、本発明では、スリープモードに移行した画像処理装置の代わりに、ネットワークに接続された別の画像処理装置がＩＰアドレスの再リース処理を行うことで、画像処理装置をスリープモードから復帰させることなく、ＩＰアドレスのリース期間の延長を行うことを可能として、システム全体の消費電力を削減できる画像形成システムを提供することを目的とする。
。
【課題を解決するための手段】
【０００６】
請求項１記載の発明では、ＤＨＣＰのプロトコルに従い、ＩＰアドレスを取得するネットワーク制御手段と省電力機能をもつ複数の画像処理装置とがネットワークに接続された画像形成システムであって、特定の画像処理装置が省電力機能であるスリープモードに遷移する際、他のネットワークに接続された画像処理装置にＩＰアドレスの再リース処理の代理で行うことを要求する要求手段を備え、前記要求手段によりＩＰアドレスの再リース処理の代理を要求されたネットワークに接続された他の画像処理装置が、スリープモードに遷移している画像処理装置の代わりにＩＰアドレスの再リース処理をすることにより、前記目的を達成する。
請求項２記載の発明では、請求項１記載の発明において、前記要求手段により他の画像処理装置にＩＰアドレスの再リース処理を要求した画像処理装置は、スリープモードに遷移している間、ネットワークに接続された他の画像処理装置、或いはネットワークに接続されたサーバとのネゴシエーションに対して、無視することを特徴とする。
請求項３記載の発明では、請求項１または請求項２記載の発明において、前記要求手段により他の画像処理装置にＩＰアドレスの再リース処理を要求した画像処理装置は、スリープモードに遷移している間、ネットワークを介して特定の動作の要求を受けた場合のみにスリープモードから復帰することを特徴とする。
請求項４記載の発明では、請求項１、請求項２または請求項３記載の発明において、前記要求手段により他の画像処理装置にＩＰアドレスの再リース処理を要求した画像処理装置は、要求を受けた画像処理装置が問題なくＩＰアドレスの再リース処理できることを応答したことを確認して、スリープモードに移行することを特徴とする。
請求項５記載の発明では、請求項１から請求項４のいずれか１項に記載の発明において、前記要求手段により他の画像処理装置にＩＰアドレスの再リース処理を要求した画像処理装置は、要求を受けた画像処理装置が代理で再リース処理を行えない場合は、別の候補の画像処理装置を選択して代理要求することを特徴とする。
請求項６記載の発明では、請求項１から請求項５のいずれか１項に記載の発明において、前記要求手段により他の画像処理装置にＩＰアドレスの再リース処理を要求した画像処理装置は、スリープモードから復帰した時に、代理でＩＰアドレスの再リース処理を行う画像処理装置の代理動作要求を解除する指示を出す解除指示手段を備えたことを特徴とする。
請求項７記載の発明では、請求項１から請求項６のいずれか１項に記載の発明において、前記要求手段により、代理でＩＰアドレスの再リース処理の要求を受けた画像処理装置は、代理動作要求を受けている間、スリープモードへの移行を許可されないことを特徴とする。
請求項８記載の発明では、請求項１から請求項６のいずれか１項に記載の発明において、前記要求手段により、代理でＩＰアドレスの再リース処理の要求を受けた画像処理装置は、省電力機能をもつ画像処理装置であることを特徴とする。
請求項９記載の発明では、請求項１から請求項６のいずれか１項に記載の発明において、前記要求手段により、代理でＩＰアドレスの再リース処理の要求をした際、ネットワーク内に省電力機能をもつ画像処理装置が存在しない場合、代理でＩＰアドレスの再リース処理を行う画像処理装置は、待機時の消費電力が小さい画像処理装置であることを特徴とする。
請求項１０記載の発明では、請求項１から請求項６のいずれか１項に記載の発明において、前記要求手段により他の画像処理装置にＩＰアドレスの再リース処理を要求する画像処理装置は、ネットワーク内にある複数の画像処理装置に要求を出し、要求を受けた複数の画像処理装置の中から、応答のあった画像処理装置に代理動作を要求することを特徴とす。
請求項１１記載の発明では、ＤＨＣＰのプロトコルに従い、ＩＰアドレスを取得するネットワーク制御手段と省電力機能をもつ複数の画像処理装置とがネットワークに接続された画像形成システムにおいて、特定の画像処理装置が省電力機能であるスリープモードに遷移する際、他のネットワークに接続された画像処理装置にＩＰアドレスの再リース処理の代理で行うことを要求する第１のステップと、第１のステップで代理で行うことを要求された他の画像処理装置が要求を受け入れる第２のステップと、第２のステップで要求を受け入れた他の画像処理装置が、スリープモードに遷移している画像処理装置の代わりにＩＰアドレスの再リース処理をする第３のステップとからなることにより、前記目的を達成する。
【発明の効果】
【０００７】
請求項１および請求項１１記載の発明では、特定の画像処理装置を復帰させることなく、ＩＰアドレスのリース期間の延長処理を行うことができるので、省電力効果を得ることができる。
請求項２記載の発明では、スリープモードに遷移している間、ネットワークに接続された別の画像処理装置、あるいは、サーバとのネゴシエーションを無視することで、他のネットワークからのネゴシエーションにより復帰してしまう場合を防ぐことで、さらなる省電力効果を得ることができる。
請求項３記載の発明では、全てのコマンドを無視するとホストからの復帰要求にこたえることができないため、特定の動作要求にのみこたえることを可能とする。
請求項４記載の発明では、応答をまたずにスリープモードに移行した場合、再リース処理の要求を受けた画像処理装置が、代理で再リース処理ができない場合でも、要求する画像処理装置に伝わらないため、リース期間が過ぎてもＩＰアドレスの再リース処理が行われない不具合を防止することができる。
請求項５記載の発明では、再リース処理の要求を受けた画像処理装置が、電源オフ、もしくは既にスリープモードに遷移していた場合、代理で再リース処理ができないので、別の画像処理装置に代理動作を要求することにより、対応することが可能となる。
請求項６記載の発明では、スリープモードから復帰後は、代理動作を要求した画像処理装置は、自らＩＰアドレスのリース期間の延長要求をすればよいため、別の画像処理装置に対する代理動作要求は不要となり、代理動作要求を解除することで、ＩＰアドレスのリース期間の度に要求した画像処理装置の再リース処理と要求を受けた画像処理装置の再リース処理が重複してしまう不具合を防止することができる。
請求項７記載の発明では、代理動作要求を受けた画像処理装置が、スリープモードへの遷移を拒否することで、ＩＰアドレスのリース期間が過ぎても、リース期間の延長要求ができなくなる不具合を防止することができる。
請求項８記載の発明では、再リース処理要求を受けた画像処理装置は、スリープモードに移行できなくなるため、省電力機能をもつ画像処理装置を優先して代理要求対象に選択することで、システム全体の消費電力の低減が可能となる。
請求項９記載の発明では、再リース処理要求を受けた画像処理装置は、スリープモードに移行できなくなるため、待機時の消費電力が小さい画像処理装置を優先して代理要求対象に選択することで、システム全体の消費電力の低減が可能となる。
請求項１０記載の発明では、１度に複数の画像処理装置に依頼することで、応答のあった画像処理装置に代理動作を要求することで、画像処理装置毎に代理動作の可否を確認する手間が不要となる。
【発明を実施するための最良の形態】
【０００８】
以下、本発明の好適な実施の形態を図１ないし図１４を参照して、詳細に説明する。
図１は、本発明の実施例に係る画像処理装置の概略構成を示したブロック図である。本画像処理装置は、複写装置、ファクシミリ装置、印刷装置の機能を有し、コントローラ１０、操作パネル３０、ＦＣＵ（Ｆａｘ  Ｃｏｎｔｒｏｌ  Ｕｎｉｔ）３１、エンジン部３２を備えている。
コントローラ１０は、ＣＰＵ(中央演算処理装置）１１、システムメモリ１２、ＮＢ（Ｎｏｒｔｈ  Ｂｒｉｄｇｅ）１３、ＳＢ（Ｓｏｕｔｈ  Ｂｒｉｄｇｅ）１４、コントローラＡＳＩＣ（Ａｐｐｌｉｃａｔｉｏｎ  Ｓｐｅｃｉｆｉｃ  ＩＣ）１５、ローカルメモリ１６、ＨＤＤ（ハードディスクドライブ）１７、ＮＩＣ（ネットワークインターフェースカード）１８、ＵＳＢインターフェース１９、ＩＥＥＥ１２８４インターフェース２０、入出力制御ＡＳＩＣ２１等を備えている。
ＮＩＣ１８は、画像処理装置１をインターネットやＬＡＮ等のネットワークに接続するインターフェースで、ＵＳＢインターフェース１９、１２８４インターフェース２０は、各々の規格に準じた入出力インターフェースである。
【０００９】
操作パネル３０は、操作者からの入力操作を受け付けると共に、操作者に向けたメッセージ表示を行う操作部であり、コントローラ１０の入出力制御ＡＳＩＣ２１に接続されている。また、ＦＣＵ３１およびエンジン部３２は、コントローラ１０のコントローラＡＳＩＣ１５にＰＣＩバス３３を介して接続されている。
コントローラ１０では、コントローラＡＳＩＣ１５にローカルメモリ１６、ＨＤＤ１７などが接続されると共に、ＣＰＵ１１とコントローラＡＳＩＣ１５とがＣＰＵチップセットのＮＢ１３を介して接続されている。
なお、コントローラＡＳＩＣ１５とＮＢ１３とは、ＡＧＰ（Ａｃｃｅｌｅｒａｔｅｄ  Ｇｒａｐｈｉｃｓ  Ｐｏｒｔ）２３を介して接続されている。
ＦＣＵ３１は、ファクシミリの送信／受信を制御するハードウエア（ＩＣチップ）で、図示しないＮＣＵ、モデム等を介して電話回線と接続して画像の送受信を行う。なお、ＦＣＵ３１は、バックアップ用のメモリを有しており、このメモリは、例えば画像処理装置１の電源がＯＦＦの時に受信したファクシミリデータを一時的に格納するために利用される。
【００１０】
エンジン部３２は、原稿を光学的に走査してイメージデータに変換するスキャナ（図示せず）を備えた画像形成部で、電子写真やインクジェットの技術を用いて紙等に画像を印刷する。また、エンジン部３２は、受信したファクシミリデータやＩＥＥＥ１２８４インターフェース２０あるいはＮＩＣ１８を介して受信したプリントデータも同様に印刷出力できる。
ＣＰＵ１１は、画像処理装置１の全体制御を行うものである。ＮＢ１３は、ＣＰＵ１１、システムメモリ１２、ＳＢ１４、コントローラＡＳＩＣ１５を、またＳＢ１４はＮＩＣ１８、ＵＳＢインターフェース１９、ＩＥＥＥ１２８４インターフェース２０、および入出力制御ＡＳＩＣ２１を接続するためのブリッジである。
また、ＮＢ１３は、ＳＢ１４経由で、ＮＩＣ１８、ＵＳＢインターフェース１９、ＩＥＥＥ１２８４インターフェース２０とＰＣＩバス２２とを介して接続されている。
なお、ＳＢ１４は、ＮＢ１３とＰＣＩバス２２を介して周辺デバイス等を接続するためのブリッジである。システムメモリ１２は、描画用メモリ等として用いるメモリである。
【００１１】
コントローラＡＳＩＣ１５は、画像処理用のハードウエア要素を有する画像処理用途向けのＩＣである。ローカルメモリ１６は、コピー用画像バッファ、符号バッファ等として用いるメモリである。また、ＨＤＤ１７は画像データ、文書データ、プログラム等の蓄積のほか、フォントデータやフォームの蓄積などを行うストレージ（補助記憶装置）である。
【００１２】
図２は、本実施例に係るローカルネットワークの網形態を示した図である。この図に示すように、第１のローカルネットワーク４４と第２のローカルネットワーク４５が、ルータ４９を介して接続されている。第１のローカルネットワーク４４には、画像処理装置１（４６）、画像処理装置２（４７）、画像処理装置３（４８）と  ＰＣ１（４１）、ＰＣ２（４２）とＤＨＣＰサーバ４０、第２のローカルネットワーク４５には、ＰＣ３（４３）が接続されている。
【００１３】
次に、第１の実施例の処理手順を図３のフローチャートを参照して説明する。
図３は、ＤＨＣＰのプロトコルにしたがい、ＩＰアドレスを取得するネットワーク制御手段と省電力機能をもつ画像処理装置１、画像処理装置２、画像処理装置３とＤＨＣＰサーバ４０の動作手順を示している。
まず、画像処理装置１は、スリープモード移行要因を受けて、画像処理装置２にスリープモード移行中、画像処理装置１の代わりにＩＰアドレスの再リース処理をしてもらうことを要求する。その後、画像処理措置１はスリープモードに遷移するとともに、画像処理装置２に、自身がスリープモードに遷移したことと、自身のＩＰアドレスと、ＩＰアドレスのリース期間、そして、代理にてＩＰアドレスの再リースを行うことを要求するパケットを通知する。このパケットの内容は図４に示してあるように、画像処理装置２のアドレス、画像処理装置１のアドレス、タイプ、画像処理装置１スリープ代理処理要求、リース期間である。
【００１４】
このパケットを受けて、画像処理装置２は、代理動作を開始する。画像処理装置２は、ＩＰアドレスのリース期間が近づくと、ＤＨＣＰサーバ４０に対して、画像処理装置１のＩＰアドレスの延長要求を行い、ＤＨＣＰサーバ４０が応答することを確認する。リース期間の度に繰り返すことで、画像処理装置１を復帰させることなく、ＩＰアドレスのリース期間の延長処理を行うことができる。
【００１５】
次に、第２の実施例の処理手順を図５のフローチャートを参照して説明する。
画像処理装置１は、スリープモード移行要因を受けて、画像処理装置２にスリープモード移行中、画像処理装置１の代わりにＩＰアドレスの再リース処理をしてもらうことを要求する。そして、画像処理装置１は、スリープモードに遷移後、画像処理装置３および、ＤＨＣＰサーバ４０からのネゴシエーションのパケットを無視する。
【００１６】
続いて、第３の実施例の処理手順を図６のフローチャートを参照して説明する。
画像処理装置１は、スリープモードに遷移後、印字要求、ＨＤＤ１７への文書蓄積要求をはじめとする、特定動作の要求のパケットを受け取った時のみを復帰要因とする。そして、これらのパケットを受け取った時は、スリープモードから復帰し、特定要求動作を開始する。
【００１７】
続いて、第４の実施例の処理手順を図７のフローチャートを参照して説明する。
画像処理装置１は、画像処理装置２に対してスリープモード移行中、代理でＩＰアドレスの再リース処理をすることを要求する。その後、画像処理装置１は、画像処理装置２からの代わりにＩＰアドレスの再リース処理をすることを可とする応答を確認してからスリープモードに移行する。
【００１８】
続いて、第５の実施例の処理手順を図８のフローチャートを参照して説明する。
画像処理装置１は、画像処理装置２に対して、代わりにＩＰアドレスの再リース処理をすることを要求する。
その後、画像処理装置２からの代理動作を不可能とする応答があった場合、もしくは応答がなかった場合については、ネットワークに接続された別の画像処理装置３に代わりにＩＰアドレスの再リース処理をすることを要求する。画像処理装置１は、画像処理装置３からの代わりにＩＰアドレスの再リース処理をすることを可とする応答を確認してからスリープモードに移行する。
【００１９】
続いて、第６の実施例の処理手順を図９のフローチャートを参照して説明する。
画像処理装置１は、スリープモード移行要因を受けて、画像処理装置２に省エネモード中、画像処理装置１の代わりにＩＰアドレスの再リース処理をしてもらうことを要求し、スリープモードへ遷移する。
その後、画像処理措置１は、復帰要因を受けて復帰する時に、画像処理装置２に対して、自身がスリープモードから復帰したことと、自身のＩＰアドレスと、そして、代理にてＩＰアドレスの再リース要求を解除するパケットを通知する。このパケットの内容は、図１０に示す通り、画像処理装２のアドレス、画像処理装置１のアドレス、タイプおよび画像処理装置１復帰、代理動作要求解除である。
画像処理装置２は、代理動作要求の解除通知を受けた後は、ＩＰアドレスの再リース処理は実施しない。
【００２０】
続いて、第７の実施例の処理手順を図１１のフローチャートを参照して説明する。
画像処理装置２は、画像処理装置１の代理動作の要求を受け、代理動作を実施する。代理動作が解除されるまで、画像処理装置２にスリープモード移行要因があったとしてもスリープモードへの移行は行わない。すなわち、この期間は、スリープモードへの移行を拒否するようにする。
【００２１】
続いて、第８の実施例の処理手順を図１２のフローチャートを参照して説明する。
まず、ネットワーク内に省電力機能を持つ画像処理装置が存在するか否かをチェックする(ステップ１０）。その結果、ネットワーク内に省電力機能を持つ画像処理装置が存在した場合(ステップ１０；Ｙ）、存在した省電力機能を持つ画像処理装置に代理動作可能か否かを確認し(ステップ１１）、代理動作ＯＫの応答を受信すると(ステップ１２；Ｙ）、当該その画像処理装置から優先して代理動作を要求する(ステップ１３）。
一方、省電力機能を持つ画像処理装置が存在しない場合(ステップ１０；Ｎ）、および代理動作ＯＫの応答を受信しない場合(ステップ１２；Ｎ）、別の任意の画像処理装置に代理動作を要求する(ステップ１４）。
【００２２】
続いて、第９の実施例の処理手順を図１３のフローチャートを参照して説明する。
まず、ネットワーク内に省電力機能を持つ画像処理装置が存在するか否かをチェックする(ステップ２０）。その結果、ネットワーク内に省電力機能を持つ画像処理装置が存在した場合(ステップ２０；Ｙ）、存在した省電力機能を持つ画像処理装置に代理動作可能か否かを確認し(ステップ２１）、代理動作ＯＫの応答を受信すると(ステップ２２；Ｙ）、当該その画像処理装置から優先して代理動作を要求する(ステップ２３）。
一方、省電力機能を持つ画像処理装置が存在しない場合(ステップ２０；Ｎ）、および代理動作ＯＫの応答を受信しない場合(ステップ２２；Ｎ）、待機時の消費電力が小さい画像処理装置に代理動作を要求する(ステップ２４）。
【００２３】
続いて、第１０の実施例の処理手順を図１４のフローチャートを参照して説明する。
画像処理装置１は、画像処理装置２および画像処理装置３に対して、省エネモード中、代理でＩＰアドレスの再リース処理を要求する。そして、応答のあった画像処理装置２に対して、代理動作を要求する。
【図面の簡単な説明】
【００２４】
【図１】本発明の実施例に係る画像処理装置の概略構成を示したブロック図である。
【図２】本実施例に係るローカルネットワークの網形態を示した図である。
【図３】第１の実施例の処理手順を示した図である。
【図４】第１の実施例において、代理にてＩＰアドレスの再リースを行うことを要求するパケットの内容を示した図である。
【図５】第２の実施例の処理手順を示した図である。
【図６】第３の実施例の処理手順を示した図である。
【図７】第４の実施例の処理手順を示した図である。
【図８】第５の実施例の処理手順を示した図である。
【図９】第６の実施例の処理手順を示した図である。
【図１０】第６の実施例において、復帰要因を受けて復帰する時に、自身がスリープモードから復帰したことと、自身のＩＰアドレスと、そして、代理にてＩＰアドレスの再リース要求を解除するパケットの内容を示した図である。
【図１１】第７の実施例の処理手順を示した図である。
【図１２】第８の実施例の処理手順を示したフローチャートである。
【図１３】第９の実施例の処理手順を示したフローチャートである。
【図１４】第１０の実施例の処理手順を示した図である。
【符号の説明】
【００２５】
１０  コントローラ
１１  ＣＰＵ
１２  システムメモリ
１３  ＮＢ
１４  ＳＢ
１５  コントローラＡＳＩＣ
１６  ローカルメモリ
１７  ＨＤＤ
１８  ＮＩＣ
１９  ＵＳＢインターフェース
２０  ＩＥＥＥ１２８４インターフェース
２１  入出力制御ＡＳＩＣ
２３  ＡＧＰ
３０  操作パネル
３１  ＦＣＵ
３２  エンジン部
３３  ＰＣＩバス
４０  ＤＨＣＰサーバ
４１  ＰＣ１
４２  ＰＣ２
４３  ＰＣ３
４４  第１のローカルネットワーク
４５  第２のローカルネットワーク
４６  画像処理装置１
４７  画像処理装置２
４８  画像処理装置３
４９  ルータ
【図１】
2010016769.tif 000003
【図２】
2010016769.tif 000004
【図３】
2010016769.tif 000005
【図４】
2010016769.tif 000006
【図５】
2010016769.tif 000007
【図６】
2010016769.tif 000008
【図７】
2010016769.tif 000009
【図８】
2010016769.tif 000010
【図９】
2010016769.tif 000011
【図１０】
2010016769.tif 000012
【図１１】
2010016769.tif 000013
【図１２】
2010016769.tif 000014
【図１３】
2010016769.tif 000015
【図１４】
2010016769.tif 000016